(57)【要約】【課題】本発明は、植物の雄しべから葯を良好に分離して採取できる葯採取装置を提供することを目的とする。【解決手段】植物50の雄しべ51から葯51ａを分離して採取する葯採取装置であって、前記植物50から前記葯51ａを分離する分離処理部１を有し、この分離処理部１は、前記植物50を導入する導入部２及び分離物50’を導出する導出部３が設けられた処理容体４内に回転する羽根体５が設けられ、この羽根体５の回転で発生する気流により前記導入部２から前記植物50が吸引され且つ前記導出部３から前記分離物50’が導出されるように構成されたものである。【選択図】図１
2020184977.tif 000002
【特許請求の範囲】
【請求項１】
植物の雄しべから葯を分離して採取する葯採取装置であって、前記植物から前記葯を分離する分離処理部を有し、この分離処理部は、前記植物を導入する導入部及び分離物を導出する導出部が設けられた処理容体内に回転する羽根体が設けられ、この羽根体の回転で発生する気流により前記導入部から前記植物が吸引され且つ前記導出部から前記分離物が導出されるように構成されており、前記羽根体は、前記処理容体内に設けられる回転体に立設され且つ放射方向へ長さを有し、回転することで気流を発生するように構成され、更に、この羽根体は、前記植物を打撃して破砕する破砕面を有し、また、前記回転体と前記処理容体の内周面部とで前記植物若しくは前記分離物を挟んで破砕する破砕部が設けられていることを特徴とする葯採取装置。
【請求項２】
請求項１記載の葯採取装置において、前記回転体は前記処理容体の底面部に添設状態で設けられていることを特徴とする葯採取装置。
【請求項３】
請求項１，２いずれか１項に記載の葯採取装置において、前記破砕部は前記回転体の先端部と前記処理容体の内周面部とで構成されていることを特徴とする葯採取装置。
【請求項４】
請求項１〜３いずれか１項に記載の葯採取装置において、前記回転体は前記処理容体の底面部に設けられる回転軸部から放射方向に複数の板状体を突設して構成されていることを特徴とする葯採取装置。
【請求項５】
請求項１〜４いずれか１項に記載の葯採取装置において、前記導出部から導出された前記分離物が衝突することで破砕する衝突破砕部を有することを特徴とする葯採取装置。
【請求項６】
請求項１〜５いずれか１項に記載の葯採取装置において、前記導入部は、前記処理容体における前記回転体の回転軸延長線上の上方位置に開口部を設けて構成されていることを特徴とする葯採取装置。
【請求項７】
請求項１〜６いずれか１項に記載の葯採取装置において、前記導出部は、前記処理容体の内周面部に開口部を設けて構成されていることを特徴とする葯採取装置。
【請求項８】
請求項１〜７いずれか１項に記載の葯採取装置において、前記導出部から導出された前記分離物から葯を選別する選別部を有することを特徴とする葯採取装置。
【発明の詳細な説明】
【技術分野】
【０００１】
本発明は、葯採取装置に関するものである。
【背景技術】
【０００２】
本出願人は、花から葯を分離して採取する葯採取装置として、例えば実開昭６０−１８２７６５号に開示される葯採取装置（以下、従来例）を提案している。
【０００３】
この従来例は、装置本体に周面に扱歯を突設した回転ドラムを軸架し、この回転ドラムの下方に扱歯と僅かな間隙をおいて網状の選別板材を架設したものであり、回転ドラムを回転させた状態で花を投入すると、花が扱歯により選別板材に押し付けられて破砕され花から葯が分離されるものである。具体的には、葯が花糸や花弁片や萼片等の不要物から分離され、この分離されたもののうち小さく破砕された葯や花糸片や萼片が選別板材の網目を通過して回転ドラムの下方に設けられた粗選別篩に落下する。その後、粗選別篩により葯がその他の不要物（花弁や萼片など）と粗選別される。
【先行技術文献】
【特許文献】
【０００４】
【特許文献１】実願昭５９−７２６６８号（実開昭６０−１８２７６５号）のマイクロフィルム
【発明の概要】
【発明が解決しようとする課題】
【０００５】
ところで、近年益々、人工授粉技術を用いた栽培に関する研究・取り組みが盛んに行われる中、より歩留まりが良く効率的に葯を採取する装置の提案が望まれている。
【０００６】
本発明者等は、前述した葯採取装置について更なる開発を進め、植物の雄しべから葯を良好に分離して採取できる葯採取装置を開発した。
【課題を解決するための手段】
【０００７】
添付図面を参照して本発明の要旨を説明する。
【０００８】
植物50の雄しべ51から葯51ａを分離して採取する葯採取装置であって、前記植物50から前記葯51ａを分離する分離処理部１を有し、この分離処理部１は、前記植物50を導入する導入部２及び分離物50’を導出する導出部３が設けられた処理容体４内に回転する羽根体５が設けられ、この羽根体５の回転で発生する気流により前記導入部２から前記植物50が吸引され且つ前記導出部３から前記分離物50’が導出されるように構成されており、前記羽根体５は、前記処理容体４内に設けられる回転体７に立設され且つ放射方向へ長さを有し、回転することで気流を発生するように構成され、更に、この羽根体５は、前記植物50を打撃して破砕する破砕面５ａを有し、また、前記回転体７と前記処理容体４の内周面部４ｂとで前記植物50若しくは前記分離物50’を挟んで破砕する破砕部６が設けられていることを特徴とする葯採取装置に係るものである。
【０００９】
また、請求項１記載の葯採取装置において、前記回転体７は前記処理容体４の底面部４ａに添設状態で設けられていることを特徴とする葯採取装置に係るものである。
【００１０】
また、請求項１，２いずれか１項に記載の葯採取装置において、前記破砕部６は前記回転体７の先端部と前記処理容体４の内周面部４ｂとで構成されていることを特徴とする葯採取装置に係るものである。
【００１１】
また、請求項１〜３いずれか１項に記載の葯採取装置において、前記回転体７は前記処理容体４の底面部４ａに設けられる回転軸部10から放射方向に複数の板状体を突設して構成されていることを特徴とする葯採取装置に係るものである。
【００１２】
また、請求項１〜４いずれか１項に記載の葯採取装置において、前記導出部３から導出された前記分離物50’が衝突することで破砕する衝突破砕部８を有することを特徴とする葯採取装置に係るものである。
【００１３】
また、請求項１〜５いずれか１項に記載の葯採取装置において、前記導入部２は、前記処理容体４における前記回転体７の回転軸延長線上の上方位置に開口部を設けて構成されていることを特徴とする葯採取装置に係るものである。
【００１４】
また、請求項１〜６いずれか１項に記載の葯採取装置において、前記導出部３は、前記処理容体４の内周面部４ｂに開口部を設けて構成されていることを特徴とする葯採取装置に係るものである。
【００１５】
また、請求項１〜７いずれか１項に記載の葯採取装置において、前記導出部３から導出された前記分離物50’から葯51ａを選別する選別部９を有することを特徴とする葯採取装置に係るものである。
【発明の効果】
【００１６】
本発明は上述のように構成したから、前述した従来例に比し、葯を良好に分離して採取できるなど、従来にない非常に画期的な葯採取装置となる。
【図面の簡単な説明】
【００１７】
【図１】実施例１を示す斜視図である。
【図２】実施例１の要部を説明する正断面図である。
【図３】実施例１の要部の分解斜視図である。
【図４】実施例１の要部の説明断面図である。
【図５】実施例１の要部の説明断面図である。
【図６】実施例１の使用状態説明図である。
【図７】実施例１の要部の動作説明図である。
【図８】実施例１の要部の動作説明図である。
【図９】実施例１の要部の動作説明図である。
【図１０】実施例１の要部の動作説明図である。
【図１１】実施例２の要部の説明図である。
【図１２】実施例３の要部の説明図である。
【図１３】処理対象となる植物50の説明図である。
【発明を実施するための形態】
【００１８】
好適と考える本発明の実施形態を、図面に基づいて本発明の作用を示して簡単に説明する。
【００１９】
本発明は、羽根体５の回転で発生する気流により導入部２から植物50が吸引され、破砕処理された後に、導出部３から分離物50’となって導出される。
【００２０】
具体的には、導入部２から羽根体５付近へ導入された植物50は、羽根体５の破砕面５ａにて打撃されて破砕され、例えば葯51ａとその他の不要物（雌しべ52や花弁53や萼片54など）とに分離される。
【００２１】
また、処理容体４の内周面部４ｂ付近へ導入された植物50は、破砕部６と内周面部４ｂとで挟まれて破砕され、例えば葯51ａとその他の不要物（雌しべ52や花弁53や萼片54など）とに分離される。
【００２２】
この破砕された分離物50’は、導出部３から導出される。
【実施例】
【００２３】
＜実施例１＞
本発明の具体的な実施例１について図面に基づいて説明する。
【００２４】
本実施例は、植物50の雄しべ51から葯51ａを分離して採取する葯採取装置である。
【００２５】
具体的には、本実施例は、下部に移動用車輪11ａを有する適宜な金属製のフレーム構造から成る装置本体11に、植物供給部12，分離処理部１及び選別部９を設けた構成である。
【００２６】
植物供給部12は、図１，２に図示したように装置本体11の上部に設けられるホッパー体で構成され、下部には植物50を自重落下により排出する花排出口12ａが設けられている。
【００２７】
また、植物供給部12の上部には植物50付き枝55から植物50を採取する花採取部13が設けられている。
【００２８】
この花採取部13は、図１，２に図示したように駆動部（電動モーター）で互いに逆方向に回転する一対の回転ブラシ部材13ａを上下対向位置に設けた構成である。
【００２９】
従って、この回転ブラシ部材13ａの間に植物50付き枝55を挿入して前後に移動させると、植物50が扱かれて枝55から採取され、植物供給部12へ落下する。
【００３０】
符号14は植物50の飛散を防止するゴム製カーテン形状の花飛散防止体である。
【００３１】
分離処理部１は、植物50を導入する導入部２及び分離物50’を導出する導出部３が設けられた処理容体４内に回転する回転体７（羽根体５）が設けられ、この回転体７（羽根体５）の回転で発生する気流により導入部２から植物50が吸引され且つ導出部３から分離物50’が導出されるように構成されたものである。
【００３２】
処理容体４は、図２〜５に図示したように適宜な金属製の部材で形成された円形の底面部４ａとこの底面部４ａの周縁に立ち上がる内周面部４ｂとを有する有底筒状体であり、この処理容体４における底面部４ａの対向面にして後述する回転体７の回転軸延長線上の上方位置に開口部が設けられている。
【００３３】
具体的には、処理容体４の上部開口部には、植物供給部12の花排出口12ａに連設される有底筒状の連結部材15が設けられ、この連結部材15の底部中央には開口部が設けられて導入部２として構成されている。
【００３４】
また、処理容体の内周面部４ｂには開口部が設けられ、この開口部にはテーパー形状のノズル部３ａが設けられて導出部３として構成されている。
【００３５】
また、処理容体４の底面部４ａの中央位置には、収納容体４の下部に設けられた駆動部（電動モーター）の回転軸部10が突設され、この回転軸部10には回転体７が設けられている。
【００３６】
回転体７は、図２〜５に図示したように適宜な金属製の部材で形成されたものであり、前述した回転軸部10に被嵌連結される基部７ａから放射方向に複数（３つ）の板状体７ｂを突設して構成されている。
【００３７】
この回転体７は駆動部の作動により約６，０００〜７，０００ｒｐｍの速度で回転する。
【００３８】
また、回転体７の板状体７ｂは、処理容体４の底面部４ａに板面が平行となる添設状態で設けられており、この板状体７ｂと底面部４ａとの間隔（図４中Ｘ）は約８ｍｍ（７〜８ｍｍ）に設定されている。
【００３９】
この間隔Ｘは、回転体７の板状体７ｂと収納容体の底面部４ａとの間に処理物が残留しにくい間隔であり、収納容体４内に詰まらせることなく良好に排出されることになる。
【００４０】
また、回転体７には羽根体５が設けられている。
【００４１】
この羽根体５は、図３〜５に図示したように回転体７の一側縁に立設され且つ放射方向へ長さを有するものであり、回転体７を回転させた際、この羽根体５が回転することで気流（導入部２から外気を吸引し、導出部３から排出される気流）が発生するように構成されている。
【００４２】
具体的には、この羽根体５が回転することにより、収納容体４内は回転体７の回転に伴う回転中央部位から放射方向への気流が生じ、導入部２から回転体７の回動軸部10付近に導入された植物50は、遠心力も伴い回動軸部10から内周面部４ｂ方向へ移動することになる。
【００４３】
また、羽根体５は、処理容体４内に導入された植物50を打撃して破砕する破砕面５ａを有する。
【００４４】
従って、導入部２から導入された植物50は、羽根体５の破砕面５ａにて打撃されて破砕され、例えば葯51ａとその他の不要物（雌しべ52や花弁53や萼片54など）とに分離される。
【００４５】
また、回転体７の先端部と処理容体４の内周面部４ｂとで分離物50’を挟んで破砕する破砕部６が構成されている。
【００４６】
具体的には、回転体７の板状体７ｂは、その先端部が収納容体４の内周面部４ｂの近傍位置に配されるように設けられており、この板状体７ｂの先端部と側周面部４ａとの間隔（図４，５中Ｙ）は約４ｍｍ（４〜４．５ｍｍ）に設定されている。
【００４７】
この間隔Ｙは、導入される植物50の肉厚な部位（萼片53）よりも狭い間隔であり、植物50が良好に破砕されることになる。この点は、繰り返し行った実験より確認している。
【００４８】
選別部９は、図１，２に図示したように葯51ａが通過し得る程度の大きさの網目を有する網部材で設けられた筒状の回転ドラム体16を有し、この回転ドラム体16を基端部が高い位置となり先端部が低い位置となるように装置本体11に傾斜状態に横設されている。
【００４９】
この回転ドラム体16の先端開口部には、３つの排出口17ａを有する閉塞板17が設けられており、この閉塞板17の中央位置には駆動部18（電動モーター）の回転軸18ａが連設されている。
【００５０】
従って、駆動部18が作動して回転軸18ａが回動することで回転ドラム体16は回転する。
【００５１】
また、回転ドラム体16の基端位置から中央位置までの周囲には所定間隔を介して透明樹脂製の円筒形状のカバー体19が被嵌され、このカバー体19は回転ドラム体16と一緒に回転するように構成されている。
【００５２】
また、このカバー体19の下方左右位置には該カバー体19を支承する回転支承部材20（ローラー部材）が設けられている。
【００５３】
従って、選別部９は、回転ドラム体16が回転した状態で分離物50’が導入されることになり、この回転ドラム体16の網目を通過する大きさのものは網目から落下し、網目を通過しない大きさのものは回転ドラム体16の先端開口部（閉塞板17の排出口17ａ）から排出され、網目から落下した葯51ａはカバー体19の内面を転動して該カバー体19の先端開口部から落下する。尚、実際の処理作業時には、回転ドラム体16の先端開口部の下方位置及びカバー体19の先端開口部の下方位置には夫々回収容体29，30が設置される。
【００５４】
また、選別部９には、導出部３から導出された分離物50’（場合によっては植物50）が衝突することで破砕する衝突破砕部８が設けられている。
【００５５】
この衝突破砕部８は、図２に図示したように回転ドラム体16の内部にして回転軸18ａの先端部に金属製の金属板材を設けて構成されており、導出部３の対向位置に設けられている。
【００５６】
従って、この衝突破砕部８を設けることで導出部３から導出された分離物50’（場合によっては植物50）が衝突して破砕され、しかも、この衝突破砕部８に衝突して下方へ落下することで確実に回転ドラム体16で選別される方向へ誘導されることになる。
【００５７】
以上の構成から成る本実施例に係る葯採取装置を用いた植物50から葯51ａが分離されて採取する工程について説明する。尚、本実施例では処理する植物50として梨の花を採用しており、図13に図示したように葯51ａと花糸51ｂとから成る雄しべ51と、雌しべ52と、花弁53と、萼片54とを有するものである。
【００５８】
先ず、花採取部13にて回転する回転ブラシ部材13ａの間に花50付き枝55を挿入し、この枝55を持つ手を動かして該枝55を前後に移動させると、花50は扱かれて枝55から離れて植物供給部12へ落下し、この植物供給部12から分離処理部１へ供給される（図６，７参照）。
【００５９】
続いて、分離処理部１へ供給された花50は、回転体７の羽根体５の回転で発生する気流により導入部２から吸引され、この導入部２から羽根体５付近へ導入された花50は、羽根体５の破砕面５ａにて打撃されて破砕され、例えば葯51ａとその他の不要物（雌しべ52や花弁53や萼片54など）とに分離される（図８参照）。
【００６０】
続いて、回転体７（羽根体５）の回転により生じる気流により、導入部２から回転体７の回動軸部10付近に導入された花50は、遠心力も伴い回動軸部10から内周面部４ｂ方向へ移動し、この処理容体４の内周面部４ｂ付近へ導入された花50（例えば破砕面５ａで葯51ａを分離しきれなかった花50）は、破砕部６で挟まれて破砕され、葯51ａとその他の不要物（雌しべ52や花弁53や萼片54など）とに分離される。
【００６１】
続いて、この破砕処理された分離物50’は、導出部３から導出（圧送状態で噴射導出）される（図９参照）。
【００６２】
続いて、この導出部３から導出された分離物50’は、衝突破砕部８に衝突して破砕され、選別部９（回転ドラム体16）へ落下する（図10参照）。この衝突破砕部８に衝突することで破砕面５ａ及び破砕部６で分離しきれなかった葯51ａが分離される。
【００６３】
続いて、選別部９の回転ドラム体16の網目を通過する大きさのものは網目から落下し、網目を通過しない大きさのものは回転ドラム体16の先端開口部（閉塞板17の排出口17ａ）から排出され、網目から落下した葯51ａはカバー体19の内面を転動して該カバー体19の先端開口部から落下する。この際、回転ドラム体16の先端開口部から落下するもの（花糸51ｂ，雌しべ52と，花弁53と及び萼片54）は収納容体30に収納され、一方、カバー体19の先端開口部から落下するもの（葯51ａ）は回収容体29に収納される（図６参照）。
【００６４】
よって、本実施例によれば、植物50（花）の雄しべ51から葯51ａを良好に分離して採取できる。
【００６５】
また、本実施例は、回転体７は処理容体４の底面部４ａに添設状態で設けられているから、導入部２から導入された植物50を確実に導出部３から導出することができる。
【００６６】
また、本実施例は、破砕部６は回転体７の先端部と処理容体４の内周面部４ｂとで構成されているから、気流を生じさせるための回転体７を利用して植物50を効率良く破砕することができる。
【００６７】
また、本実施例は、回転体７は処理容体４の底面部４ａに設けられる回転軸部10から放射方向に複数の板状体を突設して構成されているから、前述した作用効果を確実且つ良好に奏することになる。
【００６８】
また、本実施例は、導出部３から導出された分離物50’が衝突することで破砕する衝突破砕部８を有するから、より一層良好に植物50から葯51ａを破砕して分離することができる。
【００６９】
また、本実施例は、導入部２は、処理容体４における回転体７の回転軸延長線上の上方位置に開口部を設けて構成されているから、植物50を良好に破砕し得る位置へ導入することができる。
【００７０】
また、本実施例は、導出部３は、処理容体４の内周面部４ｂに開口部を設けて構成されているから、導出部３から分離物50’を良好に導出することができる。
【００７１】
また、本実施例は、導出部３から導出された分離物50’から葯51ａを選別する選別部９を有するから、葯51ａを効率良く得ることができる。
【００７２】
＜実施例２＞
本発明の具体的な実施例２について図面に基づいて説明する。
【００７３】
本実施例は、図11に図示したように手で握持するグリップ部21ａを有する装置本体21に、実施例１と同構造の分離処理部１，植物供給部12及び花採取部13を設けた場合（ハンディータイプの葯採取装置）である。
【００７４】
符号22は導出部３から導出された分離物50’から葯51ａを選別する選別部、23は選別部22で選別された葯を回収する葯回収部である。
【００７５】
その余は実施例１と同様である。
【００７６】
＜実施例３＞
本発明の具体的な実施例３について図面に基づいて説明する。
【００７７】
本実施例は、図12に図示したように肩に掛ける肩掛け部25ａを有する装置本体25に、実施例１と同構造の分離処理部１を設けた場合（ショルダータイプの葯採取装置）である。
【００７８】
符号26は導出部３から導出された分離物50’から葯51ａを選別する選別部、27は選別部26で選別された葯を回収する葯回収部、28は枝55に付いた植物50を吸引する花吸引ホースである。
【００７９】
その余は実施例１と同様である。
【００８０】
尚、本発明は、実施例１，２，３に限られるものではなく、各構成要件の具体的構成は適宜設計し得るものである。
【符号の説明】
【００８１】
１  分離処理部
２  導入部
３  導出部
４  処理容体
４ａ  底面部
４ｂ  内周面部
５  羽根体
５ａ  破砕面
６  破砕部
７  回転体
８  衝突破砕部
９  選別部
50  植物
50’  分離物
51  雄しべ
51ａ  葯
【図１】
2020184977.tif 000003
【図２】
2020184977.tif 000004
【図３】
2020184977.tif 000005
【図４】
2020184977.tif 000006
【図５】
2020184977.tif 000007
【図６】
2020184977.tif 000008
【図７】
2020184977.tif 000009
【図８】
2020184977.tif 000010
【図９】
2020184977.tif 000011
【図１０】
2020184977.tif 000012
【図１１】
2020184977.tif 000013
【図１２】
2020184977.tif 000014
【図１３】
2020184977.tif 000015